(57)【要約】【課題】  清掃紙の一部を差込孔に差し込んだ状態で巻回部に複数回巻回することにより、清掃紙を簡易に保持することができる清掃具を提供する。【解決手段】  柄体１と、該柄体１に結合され、清掃紙の一部が差込まれる差込孔２１及び該差込孔２１に差込まれた清掃紙が巻回される巻回部２２を有する保持体２と、柄体１に巻回部２２に沿って摺動可能に取付けられた摺動体３と、巻回部２２の一部と向き合う進出位置及び前記巻回部２２よりも前記柄体１側に離隔した後退位置への移動を可能に摺動体３に取付けた移動体４とを備え、清掃紙の巻回終端部を移動体４により押さえ、吸い取りにより汚れた清掃紙を摺動体３により巻回部２２から押し出すことができるようにした。【選択図】        図１
2005176861.tif 000002
【特許請求の範囲】
【請求項１】
柄体に結合され、清掃紙を保持する保持体を有する清掃具において、前記保持体は前記清掃紙の一部が差込まれる差込孔と、該差込孔に差込まれた清掃紙が巻回される巻回部とを有することを特徴とする清掃具。
【請求項２】
前記差込孔は前記柄体と反対側の縁から前記柄体の長手方向と平行的に設けられている請求項１記載の清掃具。
【請求項３】
前記柄体は前記巻回部に沿って摺動可能とした摺動体を備えている請求項２記載の清掃具。
【請求項４】
前記巻回部の一部と向き合う進出位置、及び前記巻回部よりも前記柄体側に離隔した後退位置への移動を可能にした移動体を備えている請求項１乃至３の何れか１に記載の清掃具。
【発明の詳細な説明】
【技術分野】
【０００１】
本発明は便所内の床、便器等を清掃するのに便利な清掃具に関する。
【背景技術】
【０００２】
洋式便器、和式便器において、男性の小用は立ち姿勢にてなされるが、このとき、小水の一部が露出した状態にある便器の上面部に飛び散ったり、便器周りの床に飛び散ったすることがあり、便器、床面を汚すことになる。小水で汚れた便器、床面は雑巾等で拭いたり、簡易の清掃具を用いて便器、床面を洗ったり（例えば、特許文献１）、トイレットペーパを保持する清掃具を用いて小水を吸い取ったりすることにより清掃されている。
【０００３】
吸い取り用の清掃具は、複数に折重ねられたトイレットペーパ（以下折重ねペーパと言う）を保持する保持体に柄体が結合されている。保持体としては、矩形のゴム製部材の上面に＋字形の複数の切込孔が設けられており、下面から上面の両側部にかけて抱くように当てられた折重ねペーパの両端部の一部分を各切込孔に押し込むことにより折重ねペーパを保持するように構成されたものと、矩形部材の上面に２つの挟み部材が枢支されており、下面から両側面にかけて抱くように当てられた折重ねペーパの両端部を各挟み部材で挟み込むことにより保持するように構成されたものとが知られている。
【特許文献１】特開２００２−１７４４８号公報
【発明の開示】
【発明が解決しようとする課題】
【０００４】
ところが、保持体に切込孔が設けられている清掃具によれば、トイレットペーパを折重ねて折重ねペーパとし、この折重ねペーパを複数の切込孔に押し込むことにより保持する作業が必要であり、さらに吸い取りによって汚れた折重ねペーパを摘んで切込孔から抜き出す作業が必要であり、改善策が要望されていた。
また、保持体に挟み部材が設けられている清掃具によれば、トイレットペーパを折重ねて折重ねペーパとし、この折重ねペーパを２つの挟み部材で挟み込むことにより保持する作業が必要であり、さらに吸い取りによって汚れた折重ねペーパを２つの挟み部材を操作して取り外す作業が必要であり、改善策が要望されていた。
【０００５】
本発明は斯かる事情に鑑みてなされたものであり、清掃紙の一部が差込まれる差込孔と、該差込孔に差込まれた清掃紙が巻回される巻回部とを有する保持体を備えた構成としたことにより、清掃紙の一部を差込孔に差し込んだ状態で巻回部に複数回巻回することにより、清掃紙を簡易に保持することができる清掃具を提供することを目的とする。
【０００６】
また、前記差込孔を柄体と反対側の縁から柄体の長手方向と平行的に設けたことにより、汚れた清掃紙を自重により巻回部から脱落させ得る清掃具を提供することを目的とする。
【０００７】
また、巻回部に沿って摺動可能とした摺動体を柄体に設けたことにより、摺動体を摺動操作することにより、汚れた清掃紙を迅速に取り外すことができる清掃具を提供することを目的とする。
【０００８】
また、巻回部の一部と向き合う進出位置、及び前記巻回部よりも前記柄体側に離隔した後退位置への移動を可能にした移動体を設けたことにより、巻回部に清掃紙を巻回した後、移動体を操作することにより清掃紙の巻回終端部を移動体で押さえることができる清掃具を提供することを目的とする。
【課題を解決するための手段】
【０００９】
第１発明に係る清掃具は、柄体に結合され、清掃紙を保持する保持体を有する清掃具において、前記保持体は前記清掃紙の一部が差込まれる差込孔と、該差込孔に差込まれた清掃紙が巻回される巻回部とを有することを特徴とする。
【００１０】
第１発明にあっては、トイレットペーパ等の清掃紙の一部を差込孔に差し込み、清掃具を回し操作することにより清掃紙の端部を差込孔の縁部分で係止することができるとともに、清掃紙を巻き締めつつ巻回部に巻回することができる。複数巻回した後、清掃紙の途中を破ることにより、清掃紙を保持体に保持することができ、この保持状態で柄体を把持し、飛び散った小水等を清掃紙に吸い取ることができる。
【００１１】
第２発明に係る清掃具は、第１発明において、前記差込孔は前記柄体と反対側の縁から前記柄体の長手方向と平行的に設けられていることを特徴とする。
【００１２】
第２発明にあっては、差込孔が柄体の長手方向と平行的に設けられており、しかも、柄体と反対側の縁に開放されているため、汚れた清掃紙を自重により巻回部から脱落させ得るので、清掃紙の便器内等への廃棄を簡易にでき得る。
【００１３】
第３発明に係る清掃具は、第２発明において、前記柄体は前記巻回部に沿って摺動可能とした摺動体を備えていることを特徴とする。
【００１４】
第３発明にあっては、摺動体を巻回部よりも柄体側へ摺動させた状態で巻回部に清掃紙を巻回することができるため、摺動体に邪魔されることなく清掃紙を保持体に容易に保持することができ、しかも、摺動体を巻回部側へ摺動操作することにより汚れた清掃紙を巻回部から押し出すことができるため、汚れた清掃紙を巻回部から迅速に脱落させることができ、清掃紙の便器内等への廃棄を迅速にできる。
【００１５】
第４発明に係る清掃具は、第１発明乃至第３発明の何れか１において、前記巻回部の一部と向き合う進出位置、及び前記巻回部よりも前記柄体側に離隔した後退位置への移動を可能にした移動体を備えていることを特徴とする。
【００１６】
第４発明にあっては、トイレットペーパ等の清掃紙の一部を差込孔に差し込み、この状態で清掃紙を引出しつつ巻回部に複数回巻回して清掃紙の途中を破った後で、移動体を進出位置へ移動操作することにより、清掃紙の巻回終端部を移動体で押さえることができ、清掃紙の巻回状態を確実に維持することができる。また、清掃した後、移動体を後退位置へ移動させることにより、清掃紙の押し付けを解除することができ、清掃紙を巻回部から脱落させ得る状態にできる。
【発明の効果】
【００１７】
第１発明によれば、清掃紙の一部を差込孔に差し込み、清掃紙の一部を係止した状態で巻回部に巻回することができるため、清掃紙の保持体への保持を簡易にできる。
【００１８】
第２発明によれば、汚れた清掃紙を自重により巻回部から脱落させ得るので、清掃紙の便器内等への廃棄を簡易にでき得る。
【００１９】
第３発明によれば、摺動体に邪魔されることなく清掃紙を保持体に容易に保持することができるとともに、汚れた清掃紙を巻回部から迅速に脱落させることができる。
【００２０】
第４発明によれば、清掃紙の巻回状態を確実に維持することができるとともに、汚れた清掃紙を便器内等に廃棄する場合、清掃紙の押し付けを容易に解除することができる。
【発明を実施するための最良の形態】
【００２１】
以下本発明をその実施の形態を示す図面に基づき具体的に説明する。
実施の形態１
図１は本発明に係る清掃具の実施の形態１の構成を示す正面図、図２は保持体側部分の拡大正面図、図３は図２のIII −III 線の拡大断面図、図４は保持体側部分の移動体を取外した状態の拡大正面図、図５は図４のＶ−Ｖ線の拡大断面図、図６は図３のVI−VI線の拡大断面図、図７は保持体側部分の摺動体及び移動体を取外した状態の正面図、図８は保持体側部分の摺動体及び移動体を取外した状態の側面図である。
【００２２】
この清掃具は、柄体１と、該柄体１に結合されトイレットペーパ等のロール形の清掃紙を巻回により保持する保持体２と、該保持体２に保持された清掃紙を保持体２に沿って押し出すための摺動体３と、保持体２に保持された清掃紙の巻回終端部を押さえるための移動体４とを備えている。
【００２３】
柄体１は離脱可能に連結された２つの杆部材１１，１２からなり、一方の杆部材１１の端部に保持体２が合成樹脂材により一体に成形されている。また、杆部材１１の保持体２側は幅方向の中央部にリブ１１ａを有する板状に形成されており、反保持体２側は２つの係止爪１１ｂ，１１ｂが設けられており、この係止爪１１ｂ，１１ｂが他方の杆部材１２の嵌合孔１２ａに内嵌されることにより、杆部材１１，１２同士を離脱可能に連結している。
【００２４】
保持体２は杆部材１１の幅寸法よりも広幅であり、トイレットペーパの幅寸法よりは長い矩形状であり、可撓性を有する扁平板からなる。この保持体２には清掃紙の一部が差込まれる差込孔２１が柄体１と反対側の縁から柄体１の長手方向と平行的に設けられており、該差込孔２１の両側部分を、差込孔２１に差込まれた清掃紙が巻回される巻回部２２，２２としてある。この巻回部２２，２２にはコーティングされた滑り止め層が設けられており、巻回した清掃紙が抜け出し難いようにしてある。また、差込孔２１は柄体１側から前記縁にかけて漸次広幅となるようにテーパ状とし、長手方向の途中の両側縁に凹凸を設けてある。また、差込孔２１はトイレットペーパの幅寸法よりは若干長いスリットからなるが、その大きさは特に制限されない。尚、差込孔２１は図示したように両側縁の一部だけを凹凸にする他、両側縁をほぼ全長に亘って凹凸にしてもよい。
【００２５】
摺動体３は杆部材１１に該杆部材１１の長手方向への摺動を可能に取付けられており、杆部材１１と対向する細幅板部３１及び該細幅板部３１に連なり、保持体２の杆部材１１側部分と対向する広幅板部３２を有する。細幅板部３１の端部には杆部材１１の幅方向両側端部に摺動可能に外嵌された断面略Ｃ字形の嵌合部３３及び摘み部３４が設けられており、また、細幅板部３１の途中には長孔状の嵌合孔３５が設けられており、また、広幅板部３２の幅方向中央部には移動体４の移動を案内する案内突起３６が突設されている。また、広幅板部３２の端部には巻回部２２，２２と接触して清掃紙を押し出すための紙押し凸部３７が設けられており、この紙押し凸部３７が巻回部２２，２２と接触することにより細幅板部３１が若干撓むようになっている。尚、摺動体３は紙押し凸部３７によって広幅板部３２の端部厚さを比較的厚くし、広幅板部３２の端部に後記する紙押え部４６が当接したとき、該紙押え部４６と巻回部２２，２２との間の距離が、巻回部２２，２２に巻回される清掃紙の厚さよりも長くなり、清掃紙に邪魔されることなく移動体４を進出位置へ移動させ得るようにしてある。
【００２６】
移動体４は摺動体３に巻回部２２，２２の杆部材１１側部分と向き合う進出位置、及び巻回部２２，２２よりも杆部材１１側に離隔し、広幅板部３２の端部に当接する後退位置への移動を可能に取付けられており、摺動体３の細幅板部３１と対向し、可撓性を有する細幅板部４１及び該細幅板部４１に連なり、摺動体３の広幅板部３２と対向する広幅板部４２を有する。細幅板部４１の端部には摺動体３の嵌合孔３５に移動可能に内嵌された２つの嵌合突起４３，４３及び指当部４４が設けられており、また、広幅板部４２の幅方向中央部には案内突起３６が内嵌される長孔４５が設けられている。また、広幅板部４２の端部には移動方向に対して巻回部２２，２２側に傾斜し、巻回部２２，２２に巻回された清掃紙の巻回終端部を押さえる紙押え部４６が設けられており、後退位置で紙押え部４６が摺動体３の広幅板部３２の端部に当接し、進出位置で紙押え部４６が巻回部２２，２２と対向するようになっている。この紙押え部４６の端縁は凹凸になっている。また、嵌合突起４３，４３は係止部４３ａ，４３ａを有しており、該係止部４３ａ，４３ａが嵌合孔３５の内側で係止されるようになっている。尚、摺動体３及び移動体４は合成樹脂材により成形されている。
【００２７】
以上のように構成された清掃具は、差込孔２１及び巻回部２２，２２を有する保持体２が柄体１の杆部材１１と一体に設けられており、この杆部材１１に摺動体３が杆部材１１の長手方向へ摺動可能に取付けられており、該摺動体３に移動体４が摺動体３の摺動方向へ移動可能に取付けられている。
【００２８】
図９、図１０は使用状態を示す説明図である。
この清掃具を使用する場合、図２、図３のように摺動体３及び移動体４が後退位置に停止している状態で、トイレットペーパ等のロール形の清掃紙Ａの端部を差込孔２１に差し込み、清掃具を長手方向の軸線を中心として回し操作することにより清掃紙Ａの端部を差込孔２１の縁部分で係止することができるとともに、清掃紙Ａを巻き締めつつ巻回部２２，２２に巻回することができる。そして、複数回巻回した後、清掃紙Ａの途中を破ることにより、図９のように清掃紙Ａを保持体２の巻回部２２，２２に保持することができる。この保持状態で移動体４の指当部４４を押し操作することにより、図９のように移動体４が巻回部２２，２２と向き合う進出位置に移動し、紙押え部４６が清掃紙Ａの巻回終端部を巻回部２２，２２側へ押さえる。従って、清掃紙Ａの巻回状態を確実に維持することができる。このように清掃紙Ａを保持した状態で柄体１の他方の杆部材１２を把持し、便器、床等の小水等で汚れた部分に清掃紙を当てることにより、巻回部２２，２２を撓ませて小水等の汚れを吸い取ることができる。
【００２９】
この吸い取りにより汚れた清掃紙Ａを便器内等への廃棄する場合、移動体４の指当部４４を保持体２と反対方向に引き操作することにより移動体４が後退位置に移動し（図３参照）、紙押え部４６による清掃紙Ａの巻回部２２，２２への押さえが解除される。この状態で摺動体３の摘み部３４を摘み、該摺動体３を巻回部２２，２２方向に摺動させることにより、紙押し凸部３７が清掃紙Ａの端部に接触し、該清掃紙Ａを巻回部２２，２２に沿って押し出すことになり、清掃紙Ａを巻回部２２，２２から迅速に脱落させることができる。
【００３０】
尚、以上説明した実施の形態では摺動体３に移動体４を取付けたが、その他、移動体４は柄体１に該柄体１の長手方向への移動を可能に取付けてもよい。
また、保持体２の差込孔２１は柄体１と反対側の縁から柄体１の長手方向と平行的に設けたが、その他、差込孔２１は柄体１と反対側の縁に開放させることなく、保持体の途中に柄体１の長手方向と平行的に設けてもよい。また、差込孔２１は図示したように板状の保持体の板厚方向に貫通する孔である他、板状の保持体の一面及び他面の間に柄体１と反対側の縁からスリットが設けられた構成としてもよいのであり、差込孔２１の構成は特に制限されない。
【００３１】
また、以上説明した実施の形態では摺動体３及び移動体４を備える構成としたが、その他、摺動体３及び移動体４をなくした構成、又は、摺動体３を備え、移動体４をなくした構成、又は、移動体４を備え、摺動体３をなくした構成としてもよい。後者のように摺動体３をなくした場合、移動体４は杆部材に該杆部材の長手方向への移動を可能に取付ける。
【００３２】
実施の形態２
図１１は清掃具の実施の形態２の構成を示す断面図、図１２は図１１のXII −XII 線の拡大断面図である。
実施の形態２の清掃具は、柄体１は巻回部２２，２２に摺動自在に外嵌された嵌合孔３８，３８を有し、巻回部２２，２２に沿って摺動可能とした摺動体３を備える構成としたものである。
【００３３】
実施の形態２において、摺動体３は実施の形態１の紙押し凸部３７に摺動体３の摺動方向に貫通する２つの嵌合孔３８，３８を設け、各嵌合孔３８，３８部分を巻回部２２，２２に移動自在に外嵌したものであるが、その他、嵌合孔３８，３８が設けられた紙押し部を有する構成であればよい。尚、嵌合孔３８，３８は紙押し凸部３７を有する広幅板部３２の紙押し凸部３７に設けた構成である他、広幅板部３２をなくし、細幅板部３１の端部に嵌合孔３８，３８を有する紙押し部が設けられた構成としてもよい。また、嵌合孔３８，３８は巻回部２２，２２に別個に外嵌されるように２つとする他、巻回部２２，２２に一緒に外嵌されるように１つとしてもよい。
【００３４】
図１３、図１４は実施の形態２の使用状態を示す説明図である。
実施の形態２にあっては、実施の形態１のように巻回部２２，２２に巻回保持され、吸い取りにより汚れた清掃紙Ａを便器内等へ廃棄すべく摺動体３を摺動させることにより、嵌合孔３８，３８の孔縁が清掃紙Ａの端部に接触し、巻回部２２，２２の周りから清掃紙Ａを巻回部２２，２２に沿って押し出すことになり、吸取量が多い場合においても清掃紙Ａを迅速に脱落させることができる。
その他の構成及び作用は実施の形態１と同じであるため、同様の部品については同じ符号を付し、その詳細な説明及び作用効果の説明を省略する。
【００３５】
尚、本発明の清掃具は、トイレットペーパ等のロール形の清掃紙を巻回して使用する他、シート状の清掃紙を巻回して使用することもできる。
【図面の簡単な説明】
【００３６】
【図１】本発明に係る清掃具の実施の形態１の構成を示す正面図である。
【図２】保持体側部分の拡大正面図である。
【図３】図２のIII −III 線の拡大断面図である。
【図４】保持体側部分の移動体を取外した状態の拡大正面図である。
【図５】図４のＶ−Ｖ線の拡大断面図である。
【図６】図３のVI−VI線の拡大断面図である。
【図７】保持体側部分の摺動体及び移動体を取外した状態の正面図である。
【図８】保持体側部分の摺動体及び移動体を取外した状態の側面図である。
【図９】使用状態を示す説明図である。
【図１０】使用状態を示す説明図である。
【図１１】本発明に係る清掃具の実施の形態２の構成を示す断面図である。
【図１２】図１１のXII −XII 線の拡大断面図である。
【図１３】実施の形態２の使用状態を示す説明図である。
【図１４】実施の形態２の使用状態を示す説明図である。
【符号の説明】
【００３７】
１    柄体
２    保持体
２１  差込孔
２２  巻回部
３    摺動体
４    移動体
３８  嵌合孔
【図１】
2005176861.tif 000003
【図２】
2005176861.tif 000004
【図３】
2005176861.tif 000005
【図４】
2005176861.tif 000006
【図５】
2005176861.tif 000007
【図６】
2005176861.tif 000008
【図７】
2005176861.tif 000009
【図８】
2005176861.tif 000010
【図９】
2005176861.tif 000011
【図１０】
2005176861.tif 000012
【図１１】
2005176861.tif 000013
【図１２】
2005176861.tif 000014
【図１３】
2005176861.tif 000015
【図１４】
2005176861.tif 000016